(57)【要約】【課題】  電気部品等に水が掛からないようにして安全性を確保することができ、また収容箱をシールするシール材が不要で製造コストを抑制できる床置き式空気調和機を提供する。【解決手段】  熱交換器２と、該熱交換器２の下部に設けられ、熱交換器２から発生したドレインを収容するドレインパン３と、熱交換器２から発生した冷風又は温風を送風するための送風ファン５と、該送風ファン５を収容するファンケーシング６とを備え、ドレインパン３が、切り欠き状の溢流口３ｂを有し、ファンケーシング６が、溢流口３ｂから溢れ出た水を流下させる水路６ａを有するものである。【選択図】        図１
2006258405.tif 000002
【特許請求の範囲】
【請求項１】
熱交換器と、該熱交換器の下部に設けられ、前記熱交換器から発生したドレインを収容するドレインパンと、前記熱交換器から発生した冷風又は温風を送風するための送風ファンと、該送風ファンを収容するファンケーシングとを備え、
前記ドレインパンは、切り欠き状の溢流口を有し、前記ファンケーシングは、前記溢流口から溢れ出た水を流下させる水路を有することを特徴とする床置き式空気調和機。
【請求項２】
前記熱交換器及び前記送風ファンを制御する電気部品を備え、該電気部品は、前記ドレインパンの直下に設けられていることを特徴とする請求項１記載の床置き式空気調和機。
【請求項３】
前記溢流口は、床置き式空気調和機本体の背面側に形成され、前記電気部品は、床置き式空気調和機の前面側に設けられていることを特徴とする請求項２記載の床置き式空気調和機。
【請求項４】
前記溢流口は、床置き式空気調和機本体の前面側に形成され、前記電気部品は、床置き式空気調和機の背面側に設けられていることを特徴とする請求項２記載の床置き式空気調和機。
【請求項５】
前記水路は、前記ファンケーシングの側面に形成され、前記溢流口から溢れ出た水は、前記ファンケーシングの側面を流下することを特徴とする請求項１〜４のいずれかに記載の床置き式空気調和機。
【請求項６】
前記水路は、前記ファンケーシングの側面を凹状に加工して形成されていることを特徴とする請求項５記載の床置き式空気調和機。
【発明の詳細な説明】
【技術分野】
【０００１】
本発明は、床置き式空気調和機に関し、特に熱交換器から出たドレイン（排水）が電気部品等に掛かることがなく、また製造コストの低い床置き式空気調和機に関する。
【背景技術】
【０００２】
床置き式空気調和機では、ドレインパン（排水の受け皿）の排水口がつまった場合等に、ドレインパンより水が溢れ出してしまうことがある。従来の床置き式空気調和機では、このような場合に、ドレインパンの下方に配置された電気部品等に水が掛からないように、安全性確保のためのシールを電気部品収納箱の外郭に設けて水の浸入を防止する対策を施していた。
【０００３】
また従来の空気調和機の室内機では、熱交換器の下部の吹出口の天板を兼用する露受皿を設け、露受皿のリブの上端中央に設けられた凹部から溢水を流下させる一方、この凹部の下方に位置する露受皿先端部の低位置に設けられた通水孔から溢水を吹出口の前方に滴下させていた（例えば、特許文献１参照）。
【特許文献１】特開平９−７２５６８号公報（図１、図２、図３）
【発明の開示】
【発明が解決しようとする課題】
【０００４】
しかし従来の床置き式空気調和機では、一般的にドレインパンの縁が同じ高さであるため、水が溢れ出す位置が本体ユニットの据え付け状態による傾きや、製品の組立バラツキ等によって変化してしまい、水がどこから溢れ出すか予測ができなかった。このため電気部品収納箱の外郭は、どこから水が溢れ出ても水分が浸入しないように厳重にシールする必要が有り、このシール材が製造コストを増加させる原因となっていた。
【０００５】
また従来の空気調和機の室内機では（例えば、特許文献１参照）、露受皿先端部の低位置に設けられた通水孔から溢水を吹出口の前方に滴下させて、使用者が溢水を早期に発見できるようにしているものの、溢水は空気調和機の外部に滴下するため、衛生的に問題があり、また滴下した溢水を清掃しなければならない等の問題点があった。
【０００６】
本発明は、上記のような問題がなく、電気部品等に水が掛からないようにして安全性を確保することができ、また収容箱をシールするシール材が不要で製造コストを抑制できる床置き式空気調和機を提供することを目的とする。
【課題を解決するための手段】
【０００７】
本発明に係る床置き式空気調和機は、熱交換器と、該熱交換器の下部に設けられ、熱交換器から発生したドレインを収容するドレインパンと、熱交換器から発生した冷風又は温風を送風するための送風ファンと、該送風ファンを収容するファンケーシングとを備え、ドレインパンが、切り欠き状の溢流口を有し、ファンケーシングが、溢流口から溢れ出た水を流下させる水路を有するものである。
【発明の効果】
【０００８】
本発明に係る床置き式空気調和機は、ドレインパンが切り欠き状の溢流口を有し、ファンケーシングが溢流口から溢れ出た水を流下させる水路を有するため、ドレインパンの下部に設けられた電気部品や送風ファンへの水着を防止することができ、水に対する安全性が確保できる。また水の浸入を防止するための電気部品収容箱に貼付されたシール材を省略することができるため、コストが抑えられ安価な床置き式空気調和機を提供することが可能となる。
【発明を実施するための最良の形態】
【０００９】
実施形態１．
図１は、本発明の実施形態１に係る床置き式空気調和機の内部構成を示す斜視図である。また図２は、図１に示す床置き式空気調和機のドレインパンに設けられた溢流口の周辺部を示す拡大斜視図である。なお図１及び図２では、床置き式空気調和機の内部が見えるように一部を透明にしており、また溢流口の周辺部が見えるように一部を点線で示している。
図１に示す床置き式空気調和機は、床置き式空気調和機本体１の内部上方に熱交換器２を備え、その下方に熱交換器２から発生したドレイン（排水）を収容するドレインパン３が設けられている。また本実施形態１では、ドレインパン３の直下に電気部品を収容する電気部品収容箱４が備えられている。なおこの電気部品は、熱交換器２や以下に示す送風ファン５等を制御するためのものである。
【００１０】
さらにドレインパン３の下部には、熱交換器２から発生した冷風又は温風を送風するための送風ファン５を収容するファンケーシング６が備えられている。なお本実施形態１では、図１に示すように、電気部品収容箱４が床置き式空気調和機本体１内部の前面側に設けられ、ファンケーシング６が床置き式空気調和機本体１内部の背面側に設けられているものとする。また、床置き式空気調和機本体１の最下部には、底面を形成するベース７が設けられている。なお送風ファン５は、例えば電動モータにより回転して熱交換器２から発生した冷風又は温風を送風するようになっている。
【００１１】
図１に示す床置き式空気調和機は、床置き式空気調和機本体１の前面上方に設けられた吸込口（符号なし）から送風ファン５によって空気を吸引し、その空気が熱交換器２を通過する。この際、熱交換器２は空気を冷却又は加熱することにより冷風又は温風を発生する。熱交換器２で発生した冷風又は温風は、送風ファン５によって床置き式空気調和機本体１の前面下方に設けられた吹出口（符号なし）から送風される。
【００１２】
図２に示すように、本実施形態１に係る床置き式空気調和機のドレインパン３の底面には、排水口３ａが設けられており、この排水口３ａにはドレインホース８が接続されている。またドレインパン３の側壁の上方には、切り欠き状の溢水口３ｂが設けられている。なお本実施形態１では、溢水口３ｂは床置き式空気調和機本体１の背面側に設けられているものとする。また溢水口３ｂの切り欠きの形状は、任意の形状でよい。
またファンケーシング６の側面には、ファンケーシング６を凹状に加工した水路６ａが形成されており、この水路６ａはドレインパン３に設けられた溢水口３ｂと繋がるように配置されている。なお従来の一般的な床置き式空気調和機では、溢水口３ｂ及び水路６ａに相当するものは設けられていない。
【００１３】
本実施形態１に係る床置き式空気調和機では、床置き式空気調和機本体１の内部上方に備えられた熱交換器２から発生したドレインが、熱交換器２の下部に設けられたドレインパン３に流下する。通常の場合、ドレインパン３に流下したドレインは、排水口３ａからドレインホース８を通って床置き式空気調和機本体１の外部に排出される。
しかし、排水口３ａやドレインホース８に詰まりが発生した場合には、ドレインパン３に水（ドレイン）が溜まり、この水がドレインパン３に設けられた溢水口３ｂから流出する。流出した水は、ファンケーシンング６の側面に凹状に形成された水路６ａに沿って流下し、床置き式空気調和機本体１の最下部を形成するベース７に流れ落ちる。
【００１４】
なお本実施形態１では、電気部品を収容する電気部品収容箱４が床置き式空気調和機本体１の前面側に設けられ、溢水口３ｂが床置き式空気調和機本体１の背面側に設けられているが、電気部品を収容する電気部品収容箱４を床置き式空気調和機本体１の背面側に設け、溢水口３ｂを床置き式空気調和機本体１の前面側に設けるようにしてもよい。このように、溢水口３ｂと電気部品を収容する電気部品収容箱４を離れた位置に配置することで、電気部品への水着を確実に防止することができる。
【００１５】
本実施形態１では、ドレインパン３が切り欠き状の溢流口３ｂを有し、ファンケーシング６が溢流口３ｂから溢れ出た水を流下させる水路６ａを有するため、ドレインパン３の下部に設けられた電気部品や送風ファン６への水着を防止することができ、水に対する安全性が確保できる。また水の浸入を防止するための電気部品収容箱４に貼付されたシール材を省略することができるため、コストが抑えられ安価な床置き式空気調和機を提供することが可能となる。
また、溢水口３ｂから溢れ出た水を流下させる水路６ａがファンケーシング６の側面に凹状に形成されているため、溢水口３ｂから溢れ出た水がファンケーシング６の側面に沿って流下し、水が送風ファン５に掛かるのを防止することができる。
さらに電気部品収容箱４がドレインパン３の直下に設けられているため、溢水口３ｂから溢れ出た水が電気部品に掛かる危険性を低減することができる。
【００１６】
なお本発明に係る床置き式空気調和機は、上記の実施形態に限定されるものではなく、本発明の思想の範囲内において変更することが可能である。例えば、ファンケーシング６に設けられた水路６ａは、ホース状のものであってもよい。
【図面の簡単な説明】
【００１７】
【図１】本発明の実施形態１に係る床置き式空気調和機の内部構成を示す斜視図。
【図２】図１に示す床置き式空気調和機のドレインパンに設けられた溢流口の周辺部を示す拡大斜視図。
【符号の説明】
【００１８】
１  床置き式空気調和機本体、２  熱交換器、３  ドレインパン、３ａ  排水口、３ｂ  溢水口、４  電気部品収容箱、５  送風ファン、６  ファンケーシング、６ａ  水路、７  ベース、８  ドレインホース。
【図１】
2006258405.tif 000003
【図２】
2006258405.tif 000004